(57)【要約】【課題】測色装置を内蔵し、外観及び操作性を損なわずに測色精度を向上させるマウスを提供する。【解決手段】通信可能に接続されているコンピュータに移動方向及び移動距離に応じた信号を送信するマウスにおいて、測色対象物に光を照射する第一の照射部と、前記第一の照射部から測色対象物へ照射された光の反射光を受光し、当該反射光の受光強度を電気信号として出力する受光部と、前記受光部が出力する前記電気信号に基づき、測色対象物の色を示す電気信号を出力する制御部と、前記受光部における前記反射光以外の光の受光を抑制すべく、前記制御部が出力する前記電気信号に基づき、測色対象物の色と略同一の色を発光する第二の照射部と、前記第一の照射部、前記受光部、前記制御部、及び前記第二の照射部を格納する筐体と、を備えてなる。【選択図】  図１
2006235799.tif 000002
【特許請求の範囲】
【請求項１】
通信可能に接続されているコンピュータに移動方向及び移動距離に応じた信号を送信するマウスにおいて、
測色対象物に光を照射する第一の照射部と、
前記第一の照射部から測色対象物へ照射された光の反射光を受光し、当該反射光の受光強度を電気信号として出力する受光部と、
前記受光部が出力する前記電気信号に基づき、測色対象物の色を示す電気信号を出力する制御部と、
前記受光部における前記反射光以外の光の受光を抑制すべく、前記制御部が出力する前記電気信号に基づき、測色対象物の色と略同一の色を発光する第二の照射部と、
前記第一の照射部、前記受光部、前記制御部、及び前記第二の照射部を格納する筐体と、
を備えてなることを特徴とするマウス。
【請求項２】
遮光性のある物体を用いて構成され、開口部を有する遮光体を備え、
前記遮光体が、前記筐体の内部であって、前記開口部が前記測色対象物と対向する位置に前記測色対象物と間隙をもって配設され、
前記受光部が、前記遮光体の内部であって、前記遮光体の前記開口部を通して前記反射光を受光可能な位置に配設され、
前記第二の照射部が、前記遮光体の近傍を照射可能な位置に配設されてなること、
を特徴とする請求項１に記載のマウス。
【請求項３】
前記筐体の測色対象物と間隙をもって対向する底部に、透光性を有する透光部が設けられ、
前記第二の照射部が、当該透光部を照射可能な位置に配設されてなること、
を特徴とする請求項１又は２に記載のマウス。
【請求項４】
前記筐体の測色対象物と間隙をもって対向する底部の外縁に、透光性を有する透光部が設けられ、
前記第二の照射部が、当該透光部を照射可能な位置に配設されてなること、
を特徴とする請求項１〜３のいずれか一項に記載のマウス。
【請求項５】
前記筐体の測色対象物と接する面以外の部分に、透光性を有する透光部が設けられ、
前記第二の照射部が、当該透光部を照射可能な位置に配設されてなること、
を特徴とする請求項１〜４のいずれか一項に記載のマウス。
【発明の詳細な説明】
【技術分野】
【０００１】
本発明は、測色装置を備えるマウスに関する。
【背景技術】
【０００２】
コンピュータを用いて図形等を作成することが一般的に行われている。例えば、ＣＡＤ（Computer Aided Design）においては、マウスを用いた線の描画や測色装置を用いた彩色等が行われる。測色装置は、発光ダイオード等の照射部及びフォトダイオード等の受光部を備えている。そして、照射部から測色対象物に光が照射され、測色対象物からの反射光を受光部が受光することにより、測色対象物の色が測定される。
【０００３】
一般的に、測色装置は、測色精度を向上させるため、受光部に外部からの光（外乱光）が侵入することを防止するための遮光体を備えていることが多い。例えば、特許文献１においては、ドーム状の遮光体（遮光空間）の内部に、光源及び受光部が設けられた測色装置（色測定器具）が開示されている。また、外乱光の侵入をさらに抑制し、測色精度を向上させるために、遮光体の大型化や、遮光体と測色対象物との密着度の向上等の手法が一般的に用いられる。
【特許文献１】特開２００４−１９８３９８号公報
【発明の開示】
【発明が解決しようとする課題】
【０００４】
前述したように、ＣＡＤにおいては、マウスと測色装置との二つの機器を操作するため、頻繁に機器を持ち替える必要があり、作業効率の低下を招いていた。そのため、マウスに測色装置を内蔵させることが望まれている。
【０００５】
しかし、マウスに測色装置を内蔵させる場合、測色精度を向上させるために測色装置に大型の遮光体を設けると、マウスの外観を損なうこととなる。また、マウスは床面を滑らかに動かす必要があるため、遮光体と測色対象物との密着度を向上させることは、マウスの操作性を低下させてしまうこととなる。
【０００６】
本発明は上記課題を鑑みてなされたものであり、測色装置を内蔵し、外観及び操作性を損なわずに測色精度を向上させるマウスを提供することを目的とする。
【課題を解決するための手段】
【０００７】
上記目的を達成するための、本発明に係るマウスは、通信可能に接続されているコンピュータに移動方向及び移動距離に応じた信号を送信するマウスにおいて、測色対象物に光を照射する第一の照射部と、前記第一の照射部から測色対象物へ照射された光の反射光を受光し、当該反射光の受光強度を電気信号として出力する受光部と、前記受光部が出力する前記電気信号に基づき、測色対象物の色を示す電気信号を出力する制御部と、前記受光部における前記反射光以外の光の受光を抑制すべく、前記制御部が出力する前記電気信号に基づき、測色対象物の色と略同一の色を発光する第二の照射部と、前記第一の照射部、前記受光部、前記制御部、及び前記第二の照射部を格納する筐体と、を備えてなることとする。
【０００８】
また、遮光性のある物体を用いて構成され、開口部を有する遮光体を備え、前記遮光体が、前記筐体の内部であって、前記開口部が前記測色対象物と対向する位置に前記測色対象物と間隙をもって配設され、前記受光部が、前記遮光体の内部であって、前記遮光体の前記開口部を通して前記反射光を受光可能な位置に配設され、前記第二の照射部が、前記遮光体の近傍を照射可能な位置に配設されてなることとしてもよい。
【０００９】
また、前記筐体の測色対象物と間隙をもって対向する底部に、透光性を有する透光部が設けられ、前記第二の照射部が、当該透光部を照射可能な位置に配設されてなることとしてもよい。
【００１０】
また、前記筐体の測色対象物と間隙をもって対向する底部の外縁に、透光性を有する透光部が設けられ、前記第二の照射部が、当該透光部を照射可能な位置に配設されてなることとしてもよい。
【００１１】
また、前記筐体の測色対象物と接する面以外の部分に、透光性を有する透光部が設けられ、前記第二の照射部が、当該透光部を照射可能な位置に配設されてなることとしてもよい。
【発明の効果】
【００１２】
測色装置を内蔵し、外観及び操作性を損なわずに測色精度を向上させるマウスを提供することができる。
【発明を実施するための最良の形態】
【００１３】
＝＝全体構造＝＝
本発明にかかるマウスについて、図面を用いて詳細に説明する。図１は、本発明の一実施形態であるマウス１の断面図である。マウス１は、筐体２内に、制御機構３、測色装置４、複数の色を発光可能な発光ダイオード（以後、「ＬＥＤ」と称する。）であるフルカラーＬＥＤ５、及びフルカラーＬＥＤ５を制御する制御部６を備えている。
【００１４】
制御機構３は、マウス１が床面７上を移動した方向及び距離に応じた信号をコンピュータに送信するためのものであり、基板８上に設けられている。制御機構３には、発光ダイオード９、導光棒１０、及び光学センサ１１が含まれている。発光ダイオード９は、筐体２の底部１２に設けられた開口部１３を通して床面７を照射する。光学センサ１１は、所定の間隔で床面７の模様や微妙な凹凸を読み取り、マウス１の床面７上における移動距離を示す信号を生成する。光学センサ１１によって生成される移動距離を示す信号は、ケーブル１４を介してコンピュータに当該信号を送信する。ケーブル１４は、例えば、ＵＳＢ（Universal Serial Bus）規格やＰＳ／２（Personal System/2）規格のケーブルである。
【００１５】
なお、制御機構３の構造はこれに限られず、例えば、床面７に接するボールの回転をロータリーエンコーダで検知する機械式のものであってもよい。
【００１６】
測色装置４は、一端に開口部１５を有する円筒状の遮光体である遮光筒１６、床面（測色対象物）７に光を照射する第一の照射部である赤色ＬＥＤ１８Ｒ，青色ＬＥＤ１８Ｂ，緑色ＬＥＤ１８Ｇ、及び床面７からの反射光を受光する受光部であるフォトダイオード１９を備えている。遮光筒１６は、筐体２の底部１２に設けられた円状の開口部１７を覆うように配設され、各色のＬＥＤ１８Ｒ，１８Ｂ，１８Ｇは、遮光筒１６内に配設されている。また、フォトダイオード１９は、基板８に設けられ、各色のＬＥＤ１８Ｒ，１８Ｂ，１８Ｇが床面７を照射する光の反射光を受光可能なように、遮光筒１６の他端に配設されている。なお、遮光筒１６の他端は基板８で覆われている。また、底部１２及び開口部１５と床面７との間には僅かな間隙がある。
【００１７】
フルカラーＬＥＤ５は、遮光筒１６の近傍を照射可能な位置に配設されており、内部に赤色ＬＥＤ，青色ＬＥＤ，緑色ＬＥＤの３つのＬＥＤを含んでいる。そして、各色のＬＥＤをＰＷＭ（Pulse Width Modulation）方式等によって階調制御することにより、フルカラーＬＥＤ５が発光する光の色を変化させることができる。
【００１８】
＝＝回路構成＝＝
図２は、測色装置４およびフルカラーＬＥＤ５に関連する回路ブロック図である。スイッチ３０ａ，３０ｂ，３０ｃの制御により、測色装置４における各色の発光ダイオード１８Ｒ，１８Ｂ，１８Ｇが順次交互に点灯される。そして、発光ダイオード１８Ｒ，１８Ｂ，１８Ｇが床面７を照射した光の反射光をフォトダイオード１９が受光することにより、フォトダイオード１９に電流が流れる。そして、フォトダイオード１９と接続された誤差アンプ３１は、当該電流によって生じる電位差を電気信号として出力する。さらに、増幅回路３２は、誤差アンプ３１から出力された電気信号を増幅して出力する。
【００１９】
そして、増幅回路３２より出力される電気信号は、Ａ／Ｄ変換回路３３によってデジタル信号に変換される。ＣＰＵ３４は、当該デジタル信号に基づき、フルカラーＬＥＤ５の光の色を制御する制御回路３５に赤・青・緑の各色についての情報を送信する。制御回路３５は、ＣＰＵ３４から受信する信号をもとに、フルカラーＬＥＤ５に含まれる赤色ＬＥＤ３６Ｒ，青色ＬＥＤ３６Ｂ，緑色ＬＥＤ３６Ｇの各色のＬＥＤをＰＷＭ方式で階調制御する。これにより、フルカラーＬＥＤ５が発光する光の色が、床面７の色と略同一となる。
【００２０】
また、ＣＰＵ３４は、Ａ／Ｄ変換回路３３から受信するデジタル信号を、Ｉ／Ｆ回路３７及びケーブル１４を介してコンピュータに送信する。これにより、当該コンピュータにおいて、床面７の色の情報（ＲＧＢ値）を得ることができる。
【００２１】
なお、制御部６は、誤差アンプ３１、増幅回路３２、Ａ／Ｄ変換回路３３、ＣＰＵ３４、及び制御回路３５により実現されるものである。
【００２２】
＝＝遮光体の周囲の照射＝＝
図３は、フルカラーＬＥＤ５が遮光筒１６の近傍を照射している様子を示す図である。図に示すように、フルカラーＬＥＤ５は、遮光筒１６の外側部を床面７と略同一の色の光で照射している。また、筐体２の底部１２は透光性を有しており、フルカラーＬＥＤ５が照射する光は底部（透光部）１２を通して床面７を照射している。これにより、底部１２と床面７との隙間や遮光筒１６の周囲から遮光筒１６内に入射する外乱光４０の影響が低減される。
【００２３】
＝＝筐体の縁部の照射＝＝
次に、筐体の底部１２の外縁を照射する場合について説明する。図４は、マウス１の側面図である。図に示すように、筐体２の床面７に対向する底部１２の外縁に、透光性を有する透光部４１を設けることもできる。そして、図５に示すように、フルカラーＬＥＤ５が、筐体２内の基板８上であって、透光部４１を照射可能な位置に配設されている。図６は、マウス１の上面図である。この図に示すように、フルカラーＬＥＤ５は、透光部４１を通して、筐体２の底部１２の外縁周辺を照射している。これにより、筐体２の底部１２の外縁と床面７との隙間から入射する外乱光４２の影響が低減される。
【００２４】
＝＝測色した色の表示＝＝
次に、測色装置４が測定した色をマウス１の利用者に示す場合について説明する。図７はマウス１の上面図である。図に示すように、筐体２の上面に透光性を有する透光部４５を設けることもできる。そして、図８に示すように、フルカラーＬＥＤ５は、筐体２内の基板８上であって、透光部４５を照射可能な位置に配設されている。そのため、マウス１の利用者は、測色装置４が測定した色と略同一の色を、透光部４５を通して認識することができる。
【００２５】
以上、本発明の一実施形態であるマウス１について説明した。前述した通り、マウス１の筐体２の内部には、測色装置４およびフルカラーＬＥＤ５が配設されており、フルカラーＬＥＤ５は床面７と略同一の色の光を発光する。これにより、筐体２内に侵入する外乱光の影響により測色装置４の測色精度が低下することを抑制することができる。
【００２６】
また、本実施の形態においては、フルカラーＬＥＤ５が、遮光筒１６（遮光体）の近傍を照射可能な位置に配設されている。そして、遮光筒１６の近傍が床面７と略同一の色の光で照射されることにより、遮光筒１６内に侵入する外乱光の影響が低減され、測色装置４の測色精度が低下することを抑制することができる。
【００２７】
また、本実施の形態においては、筐体２の底部１２が透光性を有している。つまり、底部１２に透光性を有する透光部が設けられている。そして、フルカラーＬＥＤ５が、底部１２（透光部）を照射可能な位置に配設されている。これにより、底部１２と床面７との隙間から侵入してくる外乱光の影響が低減され、測色装置４の測色精度が低下することを抑制することができる。
【００２８】
また、本実施の形態においては、筐体２の底部１２の外縁に、透光性を有する透光部４１が設けられている。そして、フルカラーＬＥＤ５が、透光部４１を照射可能な位置に配設されている。これにより、筐体２の底部１２の外縁と床面７との隙間から侵入してくる外乱光の影響が低減され、測色装置４の測色精度が低下することを抑制することができる。
【００２９】
また、本実施の形態においては、筐体２の上面に、透光性を有する透光部４５が設けられている。そして、フルカラーＬＥＤ５が、透光部４５を照射可能な位置に配設されている。これにより、マウス１の利用者は測色装置４によって測定された床面７の色と略同一の色を視認することができる。例えば、床面７に置かれた測色対象物が小さい場合、利用者は、透光部４５に照射される色が測色対象物の色と略同一であれば、測色装置４が測色対象物を正しくとらえていると認識することができる。
【００３０】
また、本実施の形態のマウス１においては、測色装置４が内蔵されているため、ＣＡＤ等の作業における作業効率の低下を防ぐことができる。そして、大型の遮光体を用いることなく、測色装置４の測色精度を向上させることも可能である。さらに、遮光体と測色対象物との密着度を向上させることも不要であるため、マウスの操作性が低下することもない。
【００３１】
以上、本実施の形態について説明したが、上記実施例は本発明の理解を容易にするためのものであり、本発明を限定して解釈するためのものではない。本発明は、その趣旨を逸脱することなく、変更、改良され得ると共に、本発明にはその等価物も含まれる。
【００３２】
例えば、本実施の形態においては、制御回路３５はＰＷＭ変調によってフルカラーＬＥＤ５が照射する光の階調を制御することとしたが、階調制御の方式はこれに限られず、各色の発光ダイオード３６Ｒ，３６Ｂ，３６Ｇに流れる電流の量により制御することも可能である。
【００３３】
また、本実施の形態においては、第二の照射部としてフルカラーＬＥＤ５を用いることとしたが、発光素子はＬＥＤに限られず、例えば、赤・青・緑の各色を発光可能なハロゲンランプ等を用いることとしてもよい。同様に、測色装置４に設けられた第一の照射部である各色のＬＥＤ１８Ｒ，１８Ｂ，１８Ｇについても、ハロゲンランプ等で代替することが可能である。
【００３４】
また、本実施の形態においては、測色装置４の受光部として、フォトダイオード１９を用いることとしたが、例えば、フォトトランジスタ、ＣＣＤ（Charge Coupled Device）等を受光部として用いることも可能である。
【００３５】
また、本実施の形態においては、遮光体として円筒状の遮光筒１６を用いることとしたが、遮光体の形状は円筒状に限られず、例えば、角筒状やドーム状、球状であってもよい。
【００３６】
また、本実施の形態においては、筐体２の底部１２全体が透光性を有することとしたが、底部１２の一部（透光部）が透光性を有し、その一部を照射可能なようにフルカラーＬＥＤ５が配設されていることとしてもよい。
【図面の簡単な説明】
【００３７】
【図１】本発明の一実施形態であるマウスの断面図である。
【図２】測色装置およびフルカラーＬＥＤに関連する回路ブロック図である。
【図３】フルカラーＬＥＤが遮光筒の近傍を照射している様子を示す図である。
【図４】マウスの側面図である。
【図５】フルカラーＬＥＤが筐体の縁部に設けられた透光部を照射する様子を示す図である。
【図６】マウスの上面図である。
【図７】筐体の上面に設けられた透光部を示す図である。
【図８】フルカラーＬＥＤが筐体の上面に設けられた透光部を照射する様子を示す図である。
【符号の説明】
【００３８】
１  マウス                              ２  筐体
３  制御機構                            ４  測色装置
５  フルカラーＬＥＤ                    ６  制御部
７  床面（測色対象物）                  ８  基板
９  発光ダイオード                      １０  導光棒
１１  光学センサ                        １２  底部
１３  開口部                            １４  ケーブル
１５  開口部                            １６  遮光筒
１７  開口部                            １８Ｒ  赤色ＬＥＤ
１８Ｂ  青色ＬＥＤ                      １８Ｇ  緑色ＬＥＤ
１９  フォトダイオード                  ３０ａ，３０ｂ，３０ｃ  スイッチ
３１  誤差アンプ                        ３２  増幅回路
３３  Ａ／Ｄ変換回路                    ３４  ＣＰＵ
３５  制御回路                          ３６Ｒ  赤色ＬＥＤ
３６Ｂ  青色ＬＥＤ                      ３６Ｇ  緑色ＬＥＤ
３７  インタフェース回路                ４０，４２  外乱光
４１，４５  透光部
【図１】
2006235799.tif 000003
【図２】
2006235799.tif 000004
【図３】
2006235799.tif 000005
【図４】
2006235799.tif 000006
【図５】
2006235799.tif 000007
【図６】
2006235799.tif 000008
【図７】
2006235799.tif 000009
【図８】
2006235799.tif 000010